(57)【要約】【課題】  従来は、本体ケースだけを使用して電話の発着信や短文のメールの作成や読み取りができず、また折り畳み状態で着信があったときには、手動で本体ケースとカバーケースを開状態としたり、手動で分離状態とする必要があり、操作性に難点がある。【解決手段】  上部筐体部１１と下部筐体部１２とが分離自在な構成の折り畳み式携帯電話機１０の上部筐体部１１の内側面には、大面積の大型液晶表示部１４と第１のスピーカ１５とが設けられており、また、下部筐体部１２の内側面には小面積の小型液晶表示部１６と、数字、文字、記号その他各種の入力のための複数のキーが規則的に配列されたキー操作部１７とが配設され、更に、小型液晶表示部１６の上側には第２のスピーカ１８が、また、キー操作部１７の下側にはマイク１９がそれぞれ配設されている。従って、分離時は下部筐体部１２のみを使用して基本的な電話通信ができ、折り畳み作業も不要である。【選択図】            図１
2005218043.tif 000002
【特許請求の範囲】
【請求項１】
少なくとも大画面の第１の表示部を備えた第１の筐体部と、
少なくとも前記第１の表示部よりも小画面の第２の表示部と、各種の入力情報を入力するための複数のキーからなるキー操作部と、無線通信のための無線部とを備えた第２の筐体部と、
前記第１及び第２の筐体部同士を回動又は開閉自在に結合するか分離する結合・分離手段と
を有することを特徴とする携帯型通信端末。
【請求項２】
前記第１の筐体部は第１のスピーカを更に有し、前記第２の筐体部は第２のスピーカ及びマイクを更に有することを特徴とする請求項１記載の携帯型通信端末。
【請求項３】
大画面の第１の表示部と第１のスピーカとが内側面に設けられた上側筐体部と、
前記第１の表示部よりも小画面の第２の表示部と、各種の入力情報を入力するための複数のキーからなるキー操作部と、第２のスピーカと、送話音声を収音するマイクとが内側面に設けられた下側筐体部と、
前記上側筐体部と前記下側筐体部の各一側端部同士を結合又は分離すると共に、該結合時には該上側筐体部と該下側筐体部の各内側面がほぼ密接して対向配置される閉状態か、該上側筐体部と該下側筐体部の各内側面が離間される開状態のいずれかに任意に設定可能とするヒンジ部と
を有し、前記下側筐体部単独で基本的な携帯電話機能を有することを特徴とする折り畳み式の携帯型通信端末。
【請求項４】
少なくとも大画面の第１の表示部を備えた第１の筐体部と、
少なくとも前記第１の表示部よりも小画面の第２の表示部と、各種の入力情報を入力するための複数のキーからなるキー操作部と、無線通信のための無線部と、前記無線部からの受信信号に基づき着信を検知する着信検知手段とを備えた第２の筐体部と、
前記第１及び第２の筐体部同士を回動又は開閉自在に結合するか、前記第１及び第２の筐体部同士を結合している状態において、前記着信検知手段により着信を検知したときには、前記第１及び第２の筐体部を自動的に分離する結合・分離手段と
を有することを特徴とする携帯型通信端末。
【請求項５】
前記第１の筐体部は第１のスピーカを更に有し、前記第２の筐体部は第２のスピーカ及びマイクを更に有することを特徴とする請求項４記載の携帯型通信端末。
【請求項６】
大画面の第１の表示部と第１のスピーカとが内側面に設けられた上側筐体部と、
前記第１の表示部よりも小画面の第２の表示部と、各種の入力情報を入力するための複数のキーからなるキー操作部と、第２のスピーカと、送話音声を収音するマイクとが内側面に設けられ、内部に少なくとも着信検知手段を備えた下側筐体部と、
前記上側筐体部と前記下側筐体部の各一側端部同士を結合又は分離すると共に、該結合時には該上側筐体部と該下側筐体部の各内側面がほぼ密接して対向配置される閉状態か、該上側筐体部と該下側筐体部の各内側面が離間される開状態のいずれかに任意に設定可能とし、前記着信検知手段により着信が検知されたときには結合状態を自動的に解除して、前記上側筐体部と前記下側筐体部を分離状態とする解除手段を備えたヒンジ部と
を有し、前記下側筐体部単独で基本的な携帯電話機能を有することを特徴とする折り畳み式の携帯型通信端末。
【発明の詳細な説明】
【技術分野】
【０００１】
本発明は携帯型通信端末に係り、特に折り畳み式携帯電話機等の携帯型の通信端末に関する。
【背景技術】
【０００２】
近年、携帯型通信端末の代表としての折り畳み式携帯電話機は、表示画面の大型化やカメラの搭載により、端末本体の重量が益々増加する傾向にある。確かに、大型の表示画面は、長文のメールを読んだりブラウザを閲覧したりする際には便利である。しかし、通話を行う際や短文のメールを読む際には、かえってそういったものは重みを増すばかりで人の手に負担をかけるばかりである。また、折り畳み式であることによって、電話をかける際や電話の受け取りの際など、折り畳み式携帯電話機を構成する上部筐体部と下部筐体部を開いたり閉じたりする操作が不要である場合にも、そのような操作が必要となり、かえって利便性を欠くことがある。更には、携帯電話機の厚みも増すため、気軽にポケットに入れて持ち運ぶ、といった点についても利便性が高いとはいえない。
【０００３】
そこで、従来、本体ケースとカバーケースを分離自在とした折り畳み式携帯型通信端末が知られている（例えば、特許文献１参照）。この従来の携帯型通信端末は、表面及び／又は裏面にキーの配設された本体ケースと、該本体ケースに対し折り畳み可能な表示部を有するカバーケースと、該カバーケースを、前記本体ケースに対し折り畳み自在とする折り畳み等手段とを備え、該折り畳み等手段は、前記カバーケースと前記本体ケースとを分離自在とする分離手段を有する構成である。
【０００４】
【特許文献１】特開２００３−２８０７６７号公報（請求項７、１４〜１５頁、図３８〜図４０）
【発明の開示】
【発明が解決しようとする課題】
【０００５】
しかるに、上記の特許文献１記載の従来の携帯型通信端末は、キーの配設された本体ケースと、表示部を有するカバーケースとを、折り畳み等手段により分離するか又は結合して折り畳み可能とする構成であり、本体ケースには表示部やスピーカを備えていないため、本体ケースだけを使用して電話の発着信や短文のメールの作成や読み取りができない。
【０００６】
更に、上記の本体ケースとカバーケースの分離は手動により行われるため、例えば、本体ケースとカバーケースが結合されている折り畳み状態で着信があったときには、手動で本体ケースとカバーケースを開状態として着信に対する応答処理を行ったり、手動で分離状態とする必要があり、操作性に難点がある。
【０００７】
本発明は以上の点に鑑みなされたもので、利便性を向上し得る携帯型通信端末を提供することを目的とする。
【０００８】
また、本発明の他の目的は、２つの筐体部が分離状態であっても、電話の発着信や短文のメールの作成や読み取りが可能な携帯型通信端末を提供することにある。
【０００９】
更に、本発明の他の目的は、２つの筐体部を着信時に自動分離し得る携帯型通信端末を提供することにある。
【課題を解決するための手段】
【００１０】
上記の目的を達成するため、第１の発明は、少なくとも大画面の第１の表示部を備えた第１の筐体部と、少なくとも第１の表示部よりも小画面の第２の表示部と、各種の入力情報を入力するための複数のキーからなるキー操作部と、無線通信のための無線部とを備えた第２の筐体部と、第１及び第２の筐体部同士を回動又は開閉自在に結合するか分離する結合・分離手段とを有する構成としたものである。
【００１１】
この発明では、第１及び第２の筐体部同士が結合されているときには、第１の表示部により大画面での画像閲覧ができ、第１及び第２の筐体部が分離されているときには、第２の筐体部のみでの通信ができる。ここで、第１の発明の第１の筐体部は第１のスピーカを更に有し、第２の筐体部は第２のスピーカ及びマイクを更に有していてもよい。
【００１２】
また、上記の目的を達成するため、第３の発明は、大画面の第１の表示部と第１のスピーカとが内側面に設けられた上側筐体部と、第１の表示部よりも小画面の第２の表示部と、各種の入力情報を入力するための複数のキーからなるキー操作部と、第２のスピーカと、送話音声を収音するマイクとが内側面に設けられた下側筐体部と、上側筐体部と下側筐体部の各一側端部同士を結合又は分離すると共に、結合時には上側筐体部と下側筐体部の各内側面がほぼ密接して対向配置される閉状態か、上側筐体部と下側筐体部の各内側面が離間される開状態のいずれかに任意に設定可能とするヒンジ部とを有し、下側筐体部単独で基本的な携帯電話機能を有することを特徴とする。
【００１３】
この発明では、下側筐体部単独で基本的な携帯電話機能を有するため、上側筐体部と下側筐体部とを分離したときは、下側筐体部を基本的な携帯電話としての機能（電話の発着やメールの作成・読みとりなど）を利用することができる。また、上側筐体部と下側筐体部とを結合したときには、上側筐体部の大画面の第１の表示部を用いたブラウザ閲覧や長文メール利用が可能となる。
【００１４】
また、上記の目的を達成するため、第４の発明は、少なくとも大画面の第１の表示部を備えた第１の筐体部と、少なくとも第１の表示部よりも小画面の第２の表示部と、各種の入力情報を入力するための複数のキーからなるキー操作部と、無線通信のための無線部と、無線部からの受信信号に基づき着信を検知する着信検知手段とを備えた第２の筐体部と、第１及び第２の筐体部同士を回動又は開閉自在に結合するか、第１及び第２の筐体部同士を結合している状態において、着信検知手段により着信を検知したときには、第１及び第２の筐体部を自動的に分離する結合・分離手段とを有することを特徴とする。
【００１５】
この発明では、第１及び第２の筐体部同士が結合されているときには、第１の表示部により大画面での画像閲覧ができ、第１及び第２の筐体部が分離されているときには、第２の筐体部のみでの通信ができ、更に、結合状態で着信が検知されたときには、自動的に第１及び第２の筐体部を分離することができる。ここで、第４の発明の第１の筐体部は第１のスピーカを更に有し、第２の筐体部は第２のスピーカ及びマイクを更に有していてもよい。
【００１６】
更に、上記の目的を達成するため、第６の発明は、大画面の第１の表示部と第１のスピーカとが内側面に設けられた上側筐体部と、第１の表示部よりも小画面の第２の表示部と、各種の入力情報を入力するための複数のキーからなるキー操作部と、第２のスピーカと、送話音声を収音するマイクとが内側面に設けられ、内部に少なくとも着信検知手段を備えた下側筐体部と、上側筐体部と下側筐体部の各一側端部同士を結合又は分離すると共に、結合時には上側筐体部と下側筐体部の各内側面がほぼ密接して対向配置される閉状態か、上側筐体部と下側筐体部の各内側面が離間される開状態のいずれかに任意に設定可能とし、着信検知手段により着信が検知されたときには結合状態を自動的に解除して、上側筐体部と下側筐体部を分離状態とする解除手段を備えたヒンジ部とを有し、下側筐体部単独で基本的な携帯電話機能を有することを特徴とする。
【００１７】
この発明では、結合状態で着信が検知されたときには、自動的に上側筐体部と下側筐体部とが分離され、下側筐体部のみを用いて基本的な携帯電話としての機能（電話の発着やメールの作成・読みとりなど）を利用することができる。
【発明の効果】
【００１８】
本発明によれば、少なくとも大画面の第１の表示部を備えた第１の筐体部と、少なくとも第１の表示部よりも小画面の第２の表示部と、各種の入力情報を入力するための複数のキーからなるキー操作部と、無線通信のための無線部とを備えた第２の筐体部とを、任意に結合又は分離する構成としたため、大画面不要時には第１及び第２の筐体部を分離してキー操作部を有する第２の筐体部のみを持ち運ぶことができ、これにより軽量化と携帯性を向上することができると共に、第２の筐体部のみを使用した通信もできる。
【００１９】
従って、本発明を折り畳み式携帯電話機に適用した場合は、大型の液晶画面やカメラなどが搭載されるなどして重みのある携帯電話を軽量化してポケットに入れて持ち歩くことが可能となり、また電話をかけたり受けたりする際にわざわざ折り畳んだ携帯電話を開くことなく即座に電話をかけたり、受けたりすることが可能となる。更には下部筐体部にキー操作部と小面積の第２の表示部と第２のスピーカを搭載することにより、下側筐体部のみでも電話帳閲覧や電話のかかってきた相手の名前を通知させることなど電話の基本機能の利用をできるばかりでなく、短文のメールを作成したり読んだりすることも可能となる。勿論、ブラウザや長文メールの作成時や読みとり時などには、必要に応じて分離させた上部筐体部と下部筐体部を結合することにより利用することができる。
【００２０】
また、本発明によれば、少なくとも大画面の第１の表示部を備えた第１の筐体部と、少なくとも第１の表示部よりも小画面の第２の表示部と、各種の入力情報を入力するための複数のキーからなるキー操作部と、無線通信のための無線部と、着信検知手段とを備えた第２の筐体部とが結合されているときに着信が検知されたときには、自動的に第１及び第２の筐体部を分離するようにしたため、第２の筐体部のみを使用した通信を、分離作業を必要とすることなく直ちに行うことができ、利用者の利便性を向上できる。
【発明を実施するための最良の形態】
【００２１】
次に、本発明を実施するための最良の形態について図面と共に説明する。図１（Ａ）、（Ｂ）は本発明になる携帯型通信端末の第１の実施の形態の分離前の正面図及び分離後の正面図を示す。図１（Ａ）、（Ｂ）に示す本発明の第１の実施の形態は、上部筐体部１１と下部筐体部１２とが分離自在な構成の折り畳み式携帯電話機１０であり、上部筐体部１１と下部筐体部１２の各一側端部がヒンジ部１３により、同図（Ａ）に示すように公知の構造により回動自在に結合されるか、上部筐体部１１がヒンジ部１３及び下部筐体部１２から同図（Ｂ）に示すように分離自在な構造とされている。図１（Ａ）に示す結合状態と同図（Ｂ）に示す分離状態の一方から他方の状態への移行は、利用者により任意に手動により行われる。
【００２２】
また、上部筐体部１１と下部筐体部１２とがヒンジ部１３により結合された状態では、互いの内側面がほぼ密接する「閉」状態（折り畳み状態）か、互いの内側面が所定角度以上開かれた図示の「開」状態となるようにされる。図１（Ａ）は「開」状態を示しており、上部筐体部１１の内側面には大面積の大型液晶表示部１４と第１のスピーカ１５とが設けられており、また、下部筐体部１２の内側面には小面積の小型液晶表示部１６と、数字、文字、記号その他各種の入力のための複数のキーが規則的に配列されたキー操作部１７とが配設され、更に、小型液晶表示部１６の上側には第２のスピーカ１８が、また、キー操作部１７の下側にはマイク１９がそれぞれ配設されている。
【００２３】
図２は本発明になる携帯型通信端末の第１の実施の形態のブロック図を示す。同図中、図１と同一構成部分には同一符号を付し、その説明を省略する。図２において、下部筐体部１２内には、折り畳み式携帯電話機全体を制御する制御部２０と、内蔵のアンテナ２１と、アンテナ２１に接続されて送受信を行うための無線部２２と、送信信号及び受信信号の信号処理を行う信号処理部２３と、スピーカ１５、１８に対して受話音声信号や各種の音声信号を供給し、マイク１９により音響−電気変換して得られた送話音声信号を処理する音声処理部２４と、大型液晶表示部１４及び小型液晶表示部１６にそれぞれ画像信号を供給して画像表示させる表示駆動部２５と、電話帳データなどが記憶されている記憶部２６とが設けられている。
【００２４】
制御部２０は、キー操作部１７からのキー操作信号に基づき、表示駆動部２５及び信号処理部２３をそれぞれ制御する。なお、上部筐体部１１と下部筐体部１２とがヒンジ部１３により結合された状態では、大型液晶表示部１４とスピーカ１５を、小型液晶表示部１６とスピーカ１８に対して優先使用するように設定されていてもよい。このように、本実施の形態の折り畳み式の携帯電話機１０は、キー操作部１７を搭載している下部筐体部１２が、分離時にも携帯電話としての基本機能利用のため（電話の発着やメールの作成・読みとりなど）、小型液晶表示部１６とスピーカ１８を搭載しており、また、大型液晶表示部１４とキー操作部１７とに分離した携帯電話を元の形に結合して利用することも可能である。
【００２５】
次に、本実施の形態の動作について、図１及び図２と共に説明する。通話時には、キー操作部１７から入力されたダイヤル番号（発信時）又は所定の着信応答操作信号が制御部２０に入力され、これにより制御部２０から信号処理部２３、無線部２２及びアンテナ２１を介して最寄りの基地局（図示せず）へ送信信号が無線出力され、更に基地局から公衆網などを介して相手端末との間で所定のシーケンスに従って、通話路が確立される。その後、相手端末からの通話信号は、最寄りの基地局を介してアンテナ２１で受信され、更に無線部２２で受信処理された後、信号処理部２３で受話音声信号に変換され、更に音声処理部２４を介して、図１（Ａ）に示すように上部筐体部１１と下部筐体部１２とがヒンジ部１３により結合された状態では、スピーカ１５に供給され、ここで電気−音響変換されて受話音声として発音される。なお、図１（Ｂ）に示す分離状態の時には、上記の受話音声信号はスピーカ１８により受話音声として発音される。
【００２６】
一方、送話音声はマイク１９により音響−電気変換され、送話音声信号として音声処理部２４、信号処理部２３を経由して無線部２２により所定の周波数帯の送信信号に変換された後、アンテナ２１を介して基地局へ無線送信され、更に基地局から公衆網などを介して相手端末へ送信される。
【００２７】
また、メール作成・読みとり時には、キー操作部１７から入力された文字、記号等の入力信号が制御部２０に供給され、制御部２０は、この入力信号に世基づき、表示駆動部２５を介して図１（Ａ）に示すように上部筐体部１１と下部筐体部１２とがヒンジ部１３により結合された状態では、大型液晶表示部１４に供給して表示させると共に、送信メールは、信号処理部２３、無線部２２及びアンテナ２１を介して最寄りの基地局へ無線送信させる。また、ブラウザ閲覧時は、基地局から送信された信号を受信し、制御部２０が大型液晶表示部１４に表示させる。
【００２８】
上記のように、プラウザ閲覧時やメール（特に長文のメール）作成・読みとり時には、図１（Ａ）に示すような結合状態となっている携帯電話機１０であるが、必要に応じて図１（Ｂ）に示す分離状態としたときには、ブラウザやメール分は、小型液晶表示部１６で閲覧することができる。また、記憶部２６に記憶されている電話帳などの利用や短文メールの作成・読みとりなどの利用が可能であり、下部筐体部１２だけでも携帯電話としての基本的な機能を損なわない構成となっている。
【００２９】
また、予め上記の分離状態としているときに、電話がかかってきた際には、わざわざ折り畳み式の筐体を開くという動作を利用者側で行うことなく、下部筐体部１２に設けられているキー操作部１７の所定キーを操作することで利用者は即座に片手だけで電話に応答することが可能であり、利便性を向上できる。更に、大型液晶表示部１４が付いていることにより厚みのあった従来の折り畳み式携帯電話機の筐体が、本実施の形態では分離することで薄くできる。また、下部筐体部１２だけで通話が可能であるため、下部筐体部１２だけをポケットに入れて持ち歩くことも容易となって、折り畳み式携帯電話機１０を持ち歩く場合よりも、軽量化及び薄型化が可能であるため、利用者にとっての利便性が増す。
【００３０】
次に、本発明の第２の実施の形態について説明する。図３（Ａ）、（Ｂ）は本発明になる携帯型通信端末の第２の実施の形態の分離前の正面図及び分離後の正面図を示し、図１（Ａ）、（Ｂ）と同一構成部分には同一符号を付しその説明を省略する。図３（Ａ）、（Ｂ）に示す本発明の第２の実施の形態は、上部筐体部１１と下部筐体部１２とが分離自在な構成の折り畳み式携帯電話機３０であり、上部筐体部１１と下部筐体部１２の各一側端部がヒンジ部３１により、着脱自在に結合されており、また上部筐体部１１と下部筐体部１２の内側面の構成は第１の実施の形態と同様である。
【００３１】
ただし、この実施の形態は、図３（Ａ）に示す結合状態のときに着信があったときには、下部筐体部１２内に設けられた制御部が着信信号に基づき、ヒンジ部３１に設けられた自動分離機構を制御して同図（Ｂ）に示すような分離状態と自動的にする点に特徴がある。従って、本実施の形態では、プラウザ閲覧時や長文メール作成・読みとり時等において折り畳み式の形状となっている携帯電話機３０であるが、この折り畳み状態で着信があったときには、自動的に上部筐体部１１と下部筐体部１２とが分離される。なお、通話終了時は、アタッチメント式にカチッと音のする形で利用者にも結合が確認できるような方式で結合する。
【００３２】
これにより、本実施の形態によれば、利用者は通話時には特に利用されず、重量的負荷になってしまう不要な大型液晶表示部１４を手に取ることなく、軽量化された下部筐体部１２のみを、何の作業も行うことなく手に取ることが可能となり、利用者の操作性を向上できる。また、本実施の形態によれば、自動分離により利用者による折り畳み式携帯電話機における筐体の開閉の動作を省くこともできる。なお、上記の自動分離機構は、取り外し用のボタンでもよい。
【００３３】
なお、本発明は以上の実施の形態に限定されるものではなく、例えば、以上の実施の形態では上部筐体部と下部筐体部とが、それらの内側面同士が内側面に対する垂直面内方向で互いに離間又は近接する折り畳み式携帯電話機について説明したが、上部筐体部と下部筐体部とが、それらの内側面同士が内側面に対する平行面内方向で回動（スライド）するスライド型の携帯電話機に適用することもでき、また折り畳み式でなくてもよい。また、第２の実施の形態の自動分離機構更に、本発明は携帯電話機に限らず、携帯型情報処理装置などにも適用可能である。
【図面の簡単な説明】
【００３４】
【図１】本発明の第１の実施の形態の結合時と分離時の各平面図である。
【図２】本発明の第１の実施の形態のブロック図である。
【図３】本発明の第２の実施の形態の結合時と分離時の各平面図である。
【符号の説明】
【００３５】
１０、３０  折り畳み式携帯電話機
１１  上部筐体部
１２  下部筐体部
１３、３１  ヒンジ部
１４  大型液晶表示部
１５、１８  スピーカ
１６  小型液晶表示部
１７  キー操作部
１９  マイク
２０  制御部
２１  アンテナ
２２  無線部
２３  信号処理部
２４  音声処理部
２５  表示駆動部
２６  記憶部
【図１】
2005218043.tif 000003
【図２】
2005218043.tif 000004
【図３】
2005218043.tif 000005